(57)【要約】【課題】手摺耳部とガイドレール基部との間に異物が挟まれてしまうことを抑制することができる乗客コンベヤの移動手摺装置を得る。【解決手段】ガイドレール基部４１１とガイドレール基部４１１の上部に設けられガイドレール基部４１１から幅方向外側に延びたガイドレール鍔部４１２とを有する手摺ガイドレール４１と、ガイドレール鍔部４１２の上面に対向する手摺上部４２１と手摺上部４２１の幅方向端部に一体に設けられ手摺上部４２１から下方に延びてガイドレール鍔部４１２の側面に対向する手摺耳部４２２とを有し、手摺ガイドレール４１に案内される移動手摺４２と、手摺耳部４２２に設けられ、手摺耳部４２２とガイドレール基部４１１との間に異物が進入することを規制する異物進入規制部材４３とを備えている。【選択図】図２
2015178404.tif 000002
【特許請求の範囲】
【請求項１】
ガイドレール基部と前記ガイドレール基部の上部に設けられ前記ガイドレール基部から幅方向外側に延びたガイドレール鍔部とを有する手摺ガイドレールと、
前記ガイドレール鍔部の上面に対向する手摺上部と前記手摺上部の幅方向端部に一体に設けられ前記手摺上部から下方に延びて前記ガイドレール鍔部の側面に対向する手摺耳部とを有し、前記手摺ガイドレールに案内される移動手摺と、
前記手摺耳部に設けられ、前記手摺耳部と前記ガイドレール基部との間に異物が進入することを規制する異物進入規制部材と
を備えたことを特徴とする乗客コンベヤの移動手摺装置。
【請求項２】
前記手摺耳部には、前記異物進入規制部材が挿入される溝が形成されており、
前記異物進入規制部材は、前記溝に出し入れされることによって、前記手摺耳部に着脱されることを特徴とする請求項１に記載の乗客コンベヤの移動手摺装置。
【請求項３】
前記異物進入規制部材は、弾性変形可能な樹脂から構成されていることを特徴とする請求項１または請求項２に記載の乗客コンベヤの移動手摺装置。
【請求項４】
前記異物進入規制部材は、前記ガイドレール基部から離れて配置されていることを特徴とする請求項１から請求項３までの何れか一項に記載の乗客コンベヤの移動手摺装置。
【発明の詳細な説明】
【技術分野】
【０００１】
この発明は、踏段と同期して移動手摺が循環移動する乗客コンベヤの移動手摺装置に関する。
【背景技術】
【０００２】
従来、ガイドレール基部とガイドレール基部の上部に設けられガイドレール基部から幅方向外側に延びたガイドレール鍔部とを有する手摺ガイドレールと、ガイドレール鍔部の上面に対向する手摺上部と手摺上部の幅方向端部に一体に設けられ手摺上部から下方に延びてガイドレール鍔部の側面に対向する手摺耳部とを有し、手摺ガイドレールに案内される移動手摺とを備えたエスカレータの移動手摺装置が知られている（例えば、特許文献１参照）。
【先行技術文献】
【特許文献】
【０００３】
【特許文献１】特開２００６−６９７７０号公報
【発明の概要】
【発明が解決しようとする課題】
【０００４】
しかしながら、手摺耳部とガイドレール基部との間に隙間が形成されているので、移動手摺を掴む利用者の指等（異物）が手摺耳部とガイドレール基部との間に挟まれてしまう恐れがあるという問題点があった。
【０００５】
この発明は、手摺耳部とガイドレール基部との間に異物が挟まれてしまうことを抑制することができる乗客コンベヤの移動手摺装置を提供するものである。
【課題を解決するための手段】
【０００６】
この発明に係る乗客コンベヤの移動手摺装置は、ガイドレール基部とガイドレール基部の上部に設けられガイドレール基部から幅方向外側に延びたガイドレール鍔部とを有する手摺ガイドレールと、ガイドレール鍔部の上面に対向する手摺上部と手摺上部の幅方向端部に一体に設けられ手摺上部から下方に延びてガイドレール鍔部の側面に対向する手摺耳部とを有し、手摺ガイドレールに案内される移動手摺と、手摺耳部に設けられ、手摺耳部とガイドレール基部との間に異物が進入することを規制する異物進入規制部材とを備えている。
【発明の効果】
【０００７】
この発明に係る乗客コンベヤの移動手摺装置によれば、手摺耳部に設けられ、手摺耳部とガイドレール基部との間に異物が進入することを規制する異物進入規制部材を備えているので、手摺耳部とガイドレール基部との間に異物が挟まれてしまうことを抑制することができる。
【図面の簡単な説明】
【０００８】
【図１】この発明の実施の形態１に係るエスカレータを示す構成図である。
【図２】図１のＩＩ−ＩＩ線に沿った矢視断面図である。
【図３】図２の異物進入規制部材の変形例を示す断面図である。
【図４】この発明の実施の形態２に係る移動手摺装置を示す断面図である。
【発明を実施するための形態】
【０００９】
実施の形態１．
図１はこの発明の実施の形態１に係るエスカレータを示す構成図である。図において、エスカレータ（乗客コンベヤ）は、上階側階床と下階側階床とに渡って設けられ長手方向両端部に乗降口１１が形成された主枠１と、一対の乗降口１１の間を循環移動する踏段２と、踏段２よりも幅方向外側に設けられた欄干３と、欄干３に設けられた移動手摺装置（乗客コンベヤの移動手摺装置）４とを備えている。
【００１０】
図２は図１のＩＩ−ＩＩ線に沿った矢視断面図である。図において、移動手摺装置４は、手摺ガイドレール４１と、手摺ガイドレール４１に案内される移動手摺４２と、移動手摺４２に一体に形成された一対の異物進入規制部材４３とを備えている。
【００１１】
手摺ガイドレール４１は、欄干３（図１）の上部に設けられている。手摺ガイドレール４１は、欄干３に沿って延びて形成されている。手摺ガイドレール４１は、ガイドレール基部４１１と、ガイドレール基部４１１の上部に設けられ、ガイドレール基部４１１から幅方向両外側に延びたガイドレール鍔部４１２とを有している。この例では、幅方向とは、エスカレータについての幅方向であって、図２の矢印Ａの方向である。
【００１２】
移動手摺４２は、ガイドレール鍔部４１２の上面に対向する手摺上部４２１と、手摺上部４２１の幅方向両端部に一体に設けられ手摺上部４２１から下方に延びてガイドレール鍔部４１２の側面に対向する手摺耳部４２２とを有している。
【００１３】
異物進入規制部材４３は、手摺耳部４２２に設けられている。異物進入規制部材４３は、手摺耳部４２２から離れるにつれてガイドレール基部４１１に近づくように配置されている。異物進入規制部材４３は、手摺耳部４２２とガイドレール基部４１１との間に異物が進入することを規制する。異物進入規制部材４３は、弾性変形が可能である樹脂から構成されている。異物進入規制部材４３は、ガイドレール基部４１１から離れて配置されている。
【００１４】
移動手摺４２を掴む利用者の指等（異物）が、手摺耳部とガイドレール基部との間に進入しようとすると、異物が異物進入規制部材４３に当たる。異物が当たった異物進入規制部材４３は、弾性変形してガイドレール基部４１１に接触する。これにより、異物進入規制部材４３は、手摺耳部４２２とガイドレール基部４１１との間を塞ぐ。その結果、異物が手摺耳部とガイドレール基部との間に進入することが規制され、手摺耳部とガイドレール基部との間に異物が挟まれてしまうことが抑制される。
【００１５】
以上説明したように、この発明の実施の形態１に係る移動手摺装置４によれば、手摺耳部４２２に設けられ、手摺耳部４２２とガイドレール基部４１１との間に異物が進入することを規制する異物進入規制部材４３を備えているので、手摺耳部４２２とガイドレール基部４１１との間に異物が挟まれてしまうことを抑制することができる。
【００１６】
また、異物進入規制部材４３は、弾性変形可能な樹脂から構成されているので、異物進入規制部材４３がガイドレール基部４１１に接触した場合に、ガイドレール基部４１１に損傷を与えることを抑制することができる。
【００１７】
また、異物進入規制部材４３は、ガイドレール基部４１１から離れて配置されているので、異物が異物進入規制部材４３に当たっていない場合に、異物進入規制部材４３がガイドレール基部４１１に接触することを防止することができる。これにより、ガイドレール基部４１１に損傷を与えることを抑制することができる。
【００１８】
なお、上記実施の形態１では、異物進入規制部材４３が移動手摺４２に一体に形成された構成について説明したが、これに限らず、例えば、図３に示すように、異物進入規制部材４３が両面テープなどの接着剤４４を用いて移動手摺４２に取り付けられる構成であってもよい。この場合、既設の移動手摺４２に異物進入規制部材４３を容易に取り付けることができる。
【００１９】
また、実施の形態１では、異物進入規制部材４３が手摺耳部４２２から離れるにつれてガイドレール基部４１１に近づくように配置される構成について説明したが、図３に示すように、異物進入規制部材４３の先端部が手摺耳部４２２から離れるにつれてガイドレール基部４１１から離れるように配置される構成であってもよい。
【００２０】
実施の形態２．
図４はこの発明の実施の形態２に係る移動手摺装置４を示す断面図である。図において、手摺耳部４２２の下端部であって、ガイドレール基部４１１に対向する面には、溝４２３が形成されている。
【００２１】
異物進入規制部材４３は、異物進入規制部材本体４３１と、溝４２３に出し入れ可能な係合部４３２とを有している。異物進入規制部材４３は、溝４２３に係合部４３２が出し入れされることによって、手摺耳部４２２に着脱される。その他の構成は、実施の形態１と同様である。
【００２２】
以上説明したように、この発明の実施の形態２に係る移動手摺装置４によれば、手摺耳部４２２には、異物進入規制部材４３が挿入される溝４２３が形成されており、異物進入規制部材４３は、溝４２３に出し入れされることによって、手摺耳部４２２に着脱されるので、異物進入規制部材４３を容易に交換することができる。また、既設の手摺耳部４２２に溝４２３を形成することによって、既設の移動手摺４２に異物進入規制部材４３を容易に取り付けることができる。
【００２３】
なお、各上記実施の形態では、乗客コンベヤの移動手摺装置として、エスカレータの移動手摺装置を例に説明したが、動く歩道の移動手摺装置であってもよい。
【符号の説明】
【００２４】
１  主枠、２  踏段、３  欄干、４  移動手摺（乗客コンベヤの移動手摺装置）、１１  乗降口、４１  手摺ガイドレール、４２  移動手摺、４３  異物進入規制部材、４４  接着剤、４１１  ガイドレール基部、４１２  ガイドレール鍔部、４２１  手摺上部、４２２  手摺耳部、４２３  溝、４３１  異物進入規制部材本体、４３２  係合部。
【図１】
2015178404.tif 000003
【図２】
2015178404.tif 000004
【図３】
2015178404.tif 000005
【図４】
2015178404.tif 000006